(57)【要約】【課題】排気中の微粒子を低減させることを特徴とした電気掃除機において、単純な部品構成で高い微粒子低減効果を実現する構造を提供すること。【解決手段】電動送風機１９を収容する防音ケース２７の内部から電気配線３４を引き出す部位において、第一の気密部材３３ａに厚み方向の切り込み３６を設け、その切り込み３６に沿わせて電気配線３４を設置するように構成することで、第一の気密部材３３ａが電気配線３４の側面に届き気密性を向上することができ、その結果、微粒子低減効果が向上する。【選択図】図７
2015150359.tif 000002
【特許請求の範囲】
【請求項１】
吸引風を発生させる電動送風機を内包する掃除機本体と、
前記電動送風機を収容する防音ケースと、
前記防音ケースに設けた排気口と、
前記排気口に装着されるフィルターと、
前記防音ケースに設けた電気配線引き出し用の開口部と、
前記開口部の全周に設けた第一の気密部材と、
前記開口部を閉塞するための配線部蓋体と、
前記配線部蓋体に設けた第二の気密部材と、を備え、
前記第一の気密部材に厚み方向に貫通しない切り込みを設け、前記電気配線を前記切り込みに沿わせて配置し、
前記開口部は、前記第一の気密部材と前記第二の気密部材、および前記配線部蓋体とにより密閉されることを特徴とする電気掃除機。
【請求項２】
前記第一の気密部材と前記第二の気密部材の双方において、お互い対向する位置に厚み方向に貫通しない切り込みを設け、その切り込みに沿わせて電気配線を設置することを特徴とする請求項１に記載の電気掃除機。
【請求項３】
吸引風を発生させる電動送風機を内包する掃除機本体と、
前記電動送風機を収容する防音ケースと、
前記防音ケースに設けた排気口と、
前記排気口に装着されるフィルターと、
前記防音ケースに設けた電気配線引き出し用の開口部と、
前記開口部の全周に設けた第一の気密部材と、
前記開口部を閉塞するための配線部蓋体と、
前記配線部蓋体に設けた第二の気密部材と、を備え、
前記第一の気密部材において、前記開口部側から途中まで厚み方向に貫通する切り込みを設け、前記電気配線を前記切り込みに沿わせて配置し、
前記開口部は、前記第一の気密部材と前記第二の気密部材、および前記配線部蓋体とにより密閉されることを特徴とする電気掃除機。
【請求項４】
前記厚み方向に貫通する切り込みを前記開口部側と、その反対の対向側にも設け、その切り込みに沿わせて電気配線を設置することを特徴とする請求項３に記載の電気掃除機。
【請求項５】
前記第一の気密部材と前記第二の気密部材の双方において、お互い対向する位置に厚み方向に貫通する切り込みを設け、その切り込みに沿わせて電気配線を設置することを特徴とする請求項３または４に記載の電気掃除機。
【請求項６】
前記開口部の周辺且つ前記第一の気密部材の外側に、電気配線を固定する電気配線固定溝を複数備え、前記複数の電気配線固定溝は、前記切り込みの延長線上に設けられたことを特徴とする請求項１〜５のいずれか１項に記載の電気掃除機。
【発明の詳細な説明】
【技術分野】
【０００１】
本発明は、掃除機に関するものであり、特に排気中の微粒子を低減させる構造に関するものである。
【背景技術】
【０００２】
従来、排気中の微粒子を低減させる構造を搭載する掃除機においては、電動送風機を収容する防音ケースとその防音ケースの排気部に高集塵性能を持つフィルターを備え、且つ防音ケースとフィルター、及び防音ケース外の通気部の気密性を保持し、ほぼ全ての排気を前記フィルターに通すことで微粒子の低減を行っていた。
【０００３】
この際、密閉された防音ケースの内部から電気配線を引き出す部位においては、防音ケース側と配線部蓋体のそれぞれに発泡スポンジ状の気密部材を設け、各電気配線を前記２枚の気密部材によって両面から挟むことで微粒子の漏れを防止していた。
【先行技術文献】
【特許文献】
【０００４】
【特許文献１】特開２００８−１３２１５５号公報
【特許文献２】特開２０１３−３４５６４号公報
【発明の概要】
【発明が解決しようとする課題】
【０００５】
しかしながら、従来の２枚の気密部材の間に電気配線を通す構造では、電気配線の側面部においては気密部材表面に引っ張り力が加わるため電気配線と気密部材の間に隙間が発生し易く、その隙間を伝って微粒子の漏れが発生するという課題があった。また、複数の電気配線が隣り合って配線される場合はその漏れ度合いが顕著であった。
【０００６】
本発明は、前記従来の課題を解決するもので、単純な部品構成で高い微粒子低減効果を実現する構造を提供することを目的とする。
【課題を解決するための手段】
【０００７】
前記従来の課題を解決するために、本発明の電気掃除機は、吸引風を発生させる電動送風機を内包する掃除機本体と、前記電動送風機を収容する防音ケースと、前記防音ケースに設けた排気口と、前記排気口に装着されるフィルターと、前記防音ケースに設けた電気配線引き出し用の開口部と、前記開口部の全周に設けた第一の気密部材と、前記開口部を閉塞するための配線部蓋体と、前記配線部蓋体に設けた第二の気密部材と、を備え、前記第一の気密部材に厚み方向に貫通しない切り込みを設け、前記電気配線を前記切り込みに沿わせて配置し、前記開口部は、前記第一の気密部材と前記第二の気密部材、および前記配線部蓋体とにより密閉されることを特徴としたものである。
【０００８】
これにより、第一の気密部材が電気配線の側面まで届いて隙間が発生し難くなり、気密性を向上することができ、その結果、微粒子低減効果が向上する。
【発明の効果】
【０００９】
前記のように、防音ケースの内部から電気配線を引き出す部位において気密部材に切り込みを設け、沿わせて電気配線を配置することで、さらに高い微粒子低減効果を実現する掃除機を低価格で提供することが可能となる。
【図面の簡単な説明】
【００１０】
【図１】本発明の実施の形態１における電気掃除機の全体斜視図
【図２】同電気掃除機の掃除機本体の蓋体を開けた状態での前方斜視図
【図３】同電気掃除機の掃除機本体の中央断面図
【図４】同電気掃除機の防音ケースユニットの前方斜視図
【図５】同電気掃除機の同防音ケースユニットの中央断面図
【図６】同電気掃除機の防音ケースユニットから配線部蓋体が外れた状態を示す前方斜視図
【図７】（ａ）同電気掃除機の配線部蓋体に設けた第二の気密部材を示す部分斜視図、（ｂ）同電気掃除機の防音ケースユニットの配線引出し開口部を示す部分斜視図
【図８】同電気掃除機の掃除機本体内を流れる気流の動きを示した動作概要図
【図９】（ａ）従来の電気掃除機の電気配線を第一の気密部材と第二の気密部材とで挟んだ状態の断面図、（ｂ）同電気掃除機の電気配線を第一の気密部材と第二の気密部材とで挟んだ状態の断面図
【図１０】（ａ）実施の形態２における電気掃除機の防音ケースユニットの配線引出し開口部を示す部分斜視図、（ｂ）同電気掃除機の防音ケースユニットの配線引出し開口部の他の例を示す部分斜視図
【発明を実施するための形態】
【００１１】
第１の発明は、吸引風を発生させる電動送風機を内包する掃除機本体と、前記電動送風機を収容する防音ケースと、前記防音ケースに設けた排気口と、前記排気口に装着されるフィルターと、前記防音ケースに設けた電気配線引き出し用の開口部と、前記開口部の全周に設けた第一の気密部材と、前記開口部を閉塞するための配線部蓋体と、前記配線部蓋体に設けた第二の気密部材と、を備え、前記第一の気密部材に厚み方向に貫通しない切り込みを設け、前記電気配線を前記切り込みに沿わせて配置し、前記開口部は、前記第一の気密部材と前記第二の気密部材、および前記配線部蓋体とにより密閉されるものである。これにより、第一の気密部材が電気配線の側面まで届いて隙間が発生し難くなり、気密性を向上することができ、その結果、微粒子低減効果が向上する。
【００１２】
第２の発明は、特に第１の発明の電気掃除機において、前記第一の気密部材と前記第二の気密部材の双方において、お互い対向する位置に厚み方向に貫通しない切り込みを設け、その切り込みに沿わせて電気配線を設置するものである。
これにより、第一の気密部材と第二の気密部材が共に、電気配線の側面に届きやすくなるため、さらに気密性を向上することができ、その結果微粒子低減効果が向上する。
【００１３】
第３の発明は、吸引風を発生させる電動送風機を内包する掃除機本体と、前記電動送風機を収容する防音ケースと、前記防音ケースに設けた排気口と、前記排気口に装着されるフィルターと、前記防音ケースに設けた電気配線引き出し用の開口部と、前記開口部の全周に設けた第一の気密部材と、前記開口部を閉塞するための配線部蓋体と、前記配線部蓋体に設けた第二の気密部材と、を備え、前記第一の気密部材において、前記開口部側から途中まで厚み方向に貫通する切り込みを設け、前記電気配線を前記切り込みに沿わせて配置し、前記開口部は、前記第一の気密部材と前記第二の気密部材、および前記配線部蓋体とにより密閉されるものである。
これにより、第一の気密部材が電気配線の側面に届きやすくなるため気密性を向上することができ、その結果微粒子低減効果が向上する。厚み方向に貫通する切り込みは、（トムソン型で抜く等）一般的に簡易な製造方法で実現することが可能であるため、より安価に微粒子低減効果を得ることができる。
【００１４】
第４の発明は、特に第３の発明の電気掃除機において、前記厚み方向に貫通する切り込
みを前記開口部側と、その反対の対向側にも設け、その切り込みに沿わせて電気配線を設置するものである。
これにより、第一の気密部材が電気配線の側面に届きやすくなるため気密性を向上することができ、その結果微粒子低減効果が向上する。電気配線の設置時における内外の反発バランスが良いため気密部材の変形が少なく、より微粒子低減効果が得やすい。
【００１５】
第５の発明は、特に第３または第４の発明の電気掃除機において、前記第一の気密部材と前記第二の気密部材の双方において、お互い対向する位置に厚み方向に貫通する切り込みを設け、その切り込みに沿わせて電気配線を設置するものである。
これにより、第一の気密部材と第二の気密部材が共に、電気配線の側面に届きやすくなるため、さらに気密性を向上することができ、その結果微粒子低減効果が向上する。
【００１６】
第６の発明は、特に第１〜５の発明の電気掃除機において、前記開口部の周辺且つ前記第一の気密部材の外側に、電気配線を固定する電気配線固定溝を複数備え、前記複数の電気配線固定溝は、前記切り込みの延長線上に設けられたものである。
これにより、電気配線どうしが交差することを防止、及び電気配線どうしの距離を確保することができ、さらに前記気密部材の切り込みに電気配線を確実に誘導することができるため、結果として微粒子低減効果を向上することができる。
【００１７】
以下、本発明の実施の形態について、図面を参照しながら説明する。なお、この実施の形態によって本発明が限定されるものではない。
【００１８】
（実施の形態１）
本発明の実施の形態１について、図１〜図７を用いて説明する。
【００１９】
図１に示すように、本発明の電気掃除機１００は、吸引風を発生させる電動送風機１９を内蔵する掃除機本体１と、被清掃面の塵埃を吸引する吸込具２と、一端が吸込具２に接続される延長管３と、一端が延長管３に接続され、他端が掃除機本体１に接続されるホース４から構成されている。
【００２０】
吸込具２には、被清掃面の塵埃を掻きあげる回転ブラシ（図示せず）と、回転ブラシ（図示せず）を回転駆動する電動機（図示せず）と、が内蔵されている。また、ホース４の延長管３側の端部には、使用者が掃除する際に保持する把手部６を備えた先端パイプ５が設けられており、この先端パイプ５を介して延長管３とホース４とが着脱自在に接続されている。
【００２１】
さらに、ホース４の掃除機本体１側の端部には、接続パイプ７が設けられており、この接続パイプ７を介して掃除機本体１の吸気口８とホース４とが着脱自在に接続されている。先端にプラグ有した電源コード９により、部屋などにあるコンセントから電気を得ることができる。
【００２２】
図２に示すように、掃除機本体１は、掃除機本体１の下面を形成する下枠体１０と、掃除機本体１の上面を形成する第１の上枠体１１ａと、第１の上枠体１１ａをさらに覆うように構成された第２の上枠体１１ｂと、から構成されており、下枠体１０と第１の上枠体１１ａと第２の上枠体１１ｂは爪やネジ等によって結合されている。
【００２３】
掃除機本体１の上部、すなわち、下枠体１０の前部には、掃除機本体１を持ち運ぶ際に使用者が保持する本体ハンドル１２が取り付けられている。また、下枠体１０の後方両側面には走行用のローラー１３、下枠体１０の底面にはキャスター１５が回動自在に取り付けられている。
【００２４】
また、掃除機本体１の前方には弾性材料で形成された逆止弁１４が取り付けられており、逆止弁１４を覆うように吸気口８が取り付けられている。また、第１の上枠体１１ａの前部には蓋体１６が回動可能に取り付けられており、蓋体１６を開けると集塵部１７が設置されている。
【００２５】
図３に示すように、さらに掃除機本体１には、集塵部１７と電動送風機１９の仕切りを行う仕切り板１８、後部には吸引力を発生する電動送風機１９と微粒子の除去を行うフィルター２０を収納した防音ケースユニット２１、さらに後部には流入した空気を排出する排気出口２２が構成されている。
【００２６】
図４、図５に示すように、電動送風機１９は支持ゴム前２３、支持ゴム後２４と支持板２５及び支持リング２６により防音ケース２７に取り付けられる。
【００２７】
また、フィルター２０は防音ケース２７の下方に設けた排気口２７ｂにフィルター部気密部材３２を介して取り付けられ、ツメ部２８、及びネジ２９で固定される。これは、防音ケース２７とフィルター２０を固定することで防音ケース２７とフィルター２０との気密を保持でき、電動送風機１９から出る全ての排気がフィルター２０を通過することができるようにするためであり、ツメ部２８、ネジ２９などの場所、数、固定方法は適宜とする。
【００２８】
なお、防音ケース２７の上方には配線を外部に引き出す穴を塞ぐ配線部蓋体３０、及び掃除機の運転状態を表示する表示基板３１が備えられている。
【００２９】
フィルター２０は、枠体内にプリーツ状に折られたフィルター部材（例えば、ＵＬＰＡフィルターなどの高い粒子捕集率を持つフィルター部材）を備えている。
【００３０】
図６は防音ケースユニット２１において上部の配線部蓋体３０を外した図である。防音ケース２７の上部に設けられた開口部３５の周囲には第一の気密部材３３ａが貼付けられ、それに対向する配線部蓋体３０の裏面には第二の気密部材３３ｂが貼付けられている。
【００３１】
防音ケース２７内部の制御基板より繋がる電気配線３４は防音ケース２７の開口部３５から引き出され、第一の気密部材３３ａに設けられた切り込み３６に設置された後、防音ケース２７の開口部３５は配線部蓋体３０と第二の気密部材３３ｂにより密閉される。
【００３２】
図７（ｂ）は第一の気密部材３３ａの周辺拡大図（電気配線なし）である。第一の気密部材３３ａ及び第二の気密部材３３ｂは、シート状の発泡スポンジ材料から形成され裏面には粘着剤や接着剤が塗布されることで防音ケースに固定される。図において第一の気密部材３３ａの厚み方向に、厚みの半分程度の深さまで切り込み３６が入っている。また、内部と外側には電気配線を固定する電気配線固定溝２７ａが設けられている。
【００３３】
以上のように構成された電気掃除機について、以下、図８、図９を用いてその動作と作用を説明する。
【００３４】
図８に示すように、吸引力を発生する電動送風機１９により、吸気口８から吸い込まれた塵埃は集塵部１７で濾過される。さらに、電動送風機１９により下流に送風された空気には集塵部１７を通過した微粒子と電動送風機１９から発生されるカーボン粒子が含まれるが、フィルター２０により濾過された後、下枠体１０と第１の上枠体１１ａと仕切り板１８により誘導され本体後部の排気出口２２を通過して本体外にきれいな排気として排気される。
【００３５】
この際、電動送風機１９によって送風された空気はフィルター２０の圧力抵抗があるため防音ケース２７内の圧力を上昇させる。その際、配線部は第一の気密部材３３ａ、第二の気密部材３３ｂ、フィルター２０はフィルター部気密部材３２、電動送風機１９周辺は支持ゴム前２３により気密性が保持され、電動送風機１９から出る排気のほぼ全てについてフィルター２０を通過させることができ、結果として排気のきれいな掃除機を提供することが可能となる。
【００３６】
しかし、図９（ａ）に示すような従来の構成では、気密性が低い部位から粒子が漏れることがあり、例えば、電気配線３４の側面部において、第一の気密部材３３ａならびに第二の気密部材３３ｂの表面に引っ張り力が加わるため、電気配線３４と各気密部材の間に隙間が発生し易く、その隙間を伝って微粒子の漏れが発生し易かった。また、複数の電気配線が隣り合って配線される場合はその度合いが顕著であった。
【００３７】
そこで、図９（ｂ）のように第一の気密部材３３ａならびに第二の気密部材３３ｂに対し、各々厚み方向に電気配線３４が埋まる程度の深さの切り込み３６を設け、その切り込みに沿わせて電気配線３４を設置したことによって、電気配線３４の側面まで各々の気密部材が届き易くなり、隙間が発生し難くすることができる。
【００３８】
（実施の形態２）
図１０（ａ）に示すように、第一の気密部材３３ａにおいて、開口部３５側から途中まで厚み方向に貫通する切り込み３７を設けている。これにより、厚み方向に貫通する切り込み３７は、（トムソン型で抜く等）一般的に簡易な製造方法で実現することが可能であるため、実施の形態１より安価に微粒子低減効果を得ることができる。
【００３９】
また図１０（ｂ）に示すように、厚み方向に貫通する切り込み３７を前記第一の気密部材の電気配線引き出し用開口部側と反対側にも設けている。これにより、電気配線の設置時における内外の反発バランスが良いため図１０（ａ）に示す構成に比べ気密部材の変形が少なく効果が得られやすい。
【産業上の利用可能性】
【００４０】
以上のように、本発明の電気掃除機における排気中の微粒子を低減させる構造は、単純な部品構成で高い気密性による空気清浄効果を実現することが可能となるため、家庭用電気掃除機及び産業用電気掃除機の分野・用途に適用することができる。
【符号の説明】
【００４１】
１  掃除機本体
２  吸込具
３  延長管
４  ホース
６  把手部
５  先端パイプ
７  接続パイプ
８  吸気口
９  電源コード
１０  下枠体
１１ａ  第１の上枠体
１１ｂ  第２の上枠体
１２  本体ハンドル
１３  ローラー
１４  逆止弁
１５  キャスター
１６  蓋体
１７  集塵部
１８  仕切り板
１９  電動送風機
２０  フィルター
２１  防音ケースユニット
２２  排気出口
２３  支持ゴム前
２４  支持ゴム後
２５  支持板
２６  支持リング
２７  防音ケース
２７ａ  電気配線固定溝
２７ｂ  排気口
２８  ツメ部
２９  ネジ
３０  配線部蓋体
３１  表示基板
３２  フィルター部気密部材
３３ａ  第一の気密部材
３３ｂ  第二の気密部材
３４  電気配線
３５  開口部
３６  切り込み
３７  切り込み
１００  電気掃除機
【図１】
2015150359.tif 000003
【図２】
2015150359.tif 000004
【図３】
2015150359.tif 000005
【図４】
2015150359.tif 000006
【図５】
2015150359.tif 000007
【図６】
2015150359.tif 000008
【図７】
2015150359.tif 000009
【図８】
2015150359.tif 000010
【図９】
2015150359.tif 000011
【図１０】
2015150359.tif 000012